(57)【特許請求の範囲】
【請求項１】
液透過性のトップシートと液不透過性のバックシートとこれらの間に配された中央吸収性コアとを有する中央吸収体と；
前記中央吸収体の上面の幅方向一方側に接合され、第１サイド吸収性コアを有する第１サイド吸収体と；
前記中央吸収体の上面の幅方向他方側に接合され、第２サイド吸収性コアを有する第２サイド吸収体とを有し；
前記第１サイド吸収体と前記第２サイド吸収体は、幅方向の内方側が少なくとも長手方向の中間部において前記中央吸収体に接合されず、幅方向の内方縁に切欠きが形成されていることを特徴とする吸収性物品。
【請求項２】
前記第１サイド吸収性コアと前記第２サイド吸収性コアはパルプ繊維を含む請求項１に記載の吸収性物品。
【請求項３】
前記切欠きは、着用者の排尿口付近に形成される請求項１または２に記載の吸収性物品。
【請求項４】
前記第１サイド吸収体と前記第２サイド吸収体は、幅方向の外方側が、前記中央吸収性コアの幅方向両側縁より外方で前記中央吸収体に接合される請求項１〜３のいずれか一項に記載の吸収性物品。
【請求項５】
前記第１サイド吸収体は、幅方向の外方側が、前記第１サイド吸収性コアが存在する領域で前記中央吸収体に接合され、
前記第２サイド吸収体は、幅方向の外方側が、前記第２サイド吸収性コアが存在する領域で前記中央吸収体に接合される請求項４に記載の吸収性物品。
【請求項６】
前記中央吸収体には、前記中央吸収性コアの幅方向両側縁より外方の前記第１サイド吸収体または前記第２サイド吸収体が接合されない部分に、長手方向に延びる弾性部材が設けられている請求項４または５に記載の吸収性物品。
【請求項７】
前記弾性部材は、前記中央吸収性コアの幅方向両側縁より５ｍｍ以上離間して設けられる請求項６に記載の吸収性物品。
【請求項８】
前記中央吸収体はさらに、前記中央吸収性コアと前記バックシートの間に配されたシート状吸収層を有し、
前記シート状吸収層は、不織布シート間に吸水性樹脂を有しパルプ繊維を有しない請求項１〜７のいずれか一項に記載の吸収性物品。
【発明の詳細な説明】
【技術分野】
【０００１】
本発明は、尿パッド、使い捨ておむつ、生理用ナプキン等の吸収性物品に関するものである。
【背景技術】
【０００２】
従来、トップシートとバックシートとこれらの間に配された吸収性コアとを有する吸収性物品であって、吸収性コアの幅方向両端部が上面の内側に折り返されるとともに、折り返された吸収性コアがさらに外側に折り返された吸収性物品が知られている（特許文献１）。この吸収性物品は、吸収性コアの幅方向両端部を折り畳むことにより、股間部での幅を狭く形成して、股間部での装着性を向上させている。
【先行技術文献】
【特許文献】
【０００３】
【特許文献１】特開平５−４９６５８号公報
【発明の概要】
【発明が解決しようとする課題】
【０００４】
しかし、特許文献１に開示される吸収性物品は、吸収性コアの幅方向両端部が上面の内側に折り返されることにより折り返された両端部間の隙間が狭くなって、尿等が吸収性コアの幅方向中央部で好適に吸収されないおそれがある。このような場合、尿等の横漏れが起こるおそれがあり好ましくない。
【０００５】
本発明は前記事情に鑑みてなされたものであり、その目的は、着用者の股間の幅に合わせて幅狭に形成することができ、股間部付近での収まりが良好で、尿等の横漏れを防止しやすい吸収性物品を提供することにある。
【課題を解決するための手段】
【０００６】
前記課題を解決することができた本発明の吸収性物品とは、液透過性のトップシートと液不透過性のバックシートとこれらの間に配された中央吸収性コアとを有する中央吸収体と；中央吸収体の上面の幅方向一方側に接合され、第１サイド吸収性コアを有する第１サイド吸収体と；中央吸収体の上面の幅方向他方側に接合され、第２サイド吸収性コアを有する第２サイド吸収体とを有し；第１サイド吸収体と第２サイド吸収体は、幅方向の内方側が少なくとも長手方向の中間部において中央吸収体に接合されず、幅方向の内方縁に切欠きが形成されているところに特徴を有する。
【０００７】
本発明の吸収性物品は、吸収性物品が幅方向の外方から力を受けると、第１サイド吸収体と第２サイド吸収体の幅方向の内方側が中央吸収体に対しスライドできる。従って、吸収性物品が着用者の股間部で両大腿部により幅方向の外方から力を受けると、第１サイド吸収体と第２サイド吸収体が幅方向の内方にスライドして吸収性物品の幅（幅方向の長さ）が狭くなり、吸収性物品の着用者の股間部付近での収まりが良好となる。また、第１サイド吸収体と第２サイド吸収体の幅方向の内方縁に切欠きが形成されているため、切欠きが形成された部分で第１サイド吸収体と第２サイド吸収体の間隔が広がり、当該部分で、着用者から排泄された尿等のより多くの量を中央吸収体に移行させることができる。従って、第１サイド吸収性コアと第２サイド吸収性コアとともに中央吸収性コアも尿等の吸収に十分寄与して、尿等の横漏れが防止されやすくなる。
【０００８】
第１サイド吸収性コアと第２サイド吸収性コアはパルプ繊維を含むことが好ましい。第１および第２サイド吸収性コアがパルプ繊維を含んでいれば、第１サイド吸収性コアと第２サイド吸収性コアがある程度の剛性を有するようになるため、第１サイド吸収体と第２サイド吸収体が変形したりして幅方向にスライドしにくくなることを防止しやすくなる。
【０００９】
切欠きは、着用者の排尿口付近に形成されることが好ましい。このように切欠きが形成されれば、切欠きが形成された部分で着用者から排泄された尿等のより多くの量を、中央吸収体に移行させやすくなる。
【００１０】
第１サイド吸収体と第２サイド吸収体は、幅方向の外方側が、中央吸収性コアの幅方向両側縁より外方で中央吸収体に接合されることが好ましい。この場合、中央吸収性コアの幅方向両側縁より外方では、中央吸収体と第１サイド吸収体との間および中央吸収体と第２サイド吸収体との間に隙間が形成されやすくなる。従って、着用者から排泄された尿等はこの隙間を利用して長手方向に拡散しやすくなり、尿等が速やかに吸収されやすくなる。
【００１１】
第１サイド吸収体は、幅方向の外方側が、第１サイド吸収性コアが存在する領域で中央吸収体に接合され、第２サイド吸収体は、幅方向の外方側が、第２サイド吸収性コアが存在する領域で中央吸収体に接合されることが好ましい。この場合、吸収性物品は形状安定性が向上するとともに、第１サイド吸収体と第２サイド吸収体は幅方向の外方または内方への力に対する追従性が向上する。従って、吸収性物品は、着用者の股間部の幅に合わせてより容易に幅方向の長さを調整でき、着用者の股間部付近での収まりが良好となる。
【００１２】
中央吸収体には、中央吸収性コアの幅方向両側縁より外方の第１サイド吸収体または第２サイド吸収体が接合されない部分に、長手方向に延びる弾性部材が設けられていることが好ましい。このように中央吸収体に弾性部材が設けられていれば、弾性部材の収縮力により第１サイド吸収体と第２サイド吸収体が持ち上げられて、第１サイド吸収体と第２サイド吸収体が幅方向にスライドしやすくなる。
【００１３】
弾性部材は、中央吸収性コアの幅方向両側縁より５ｍｍ以上離間して設けられることが好ましい。このように中央吸収体に弾性部材が設けられれば、第１サイド吸収体と第２サイド吸収体が幅方向にスライドして、吸収性物品の幅を効果的に狭めることができる。
【００１４】
中央吸収体はさらに、中央吸収性コアとバックシートの間に配されたシート状吸収層を有してもよく、シート状吸収層は、不織布シート間に吸水性樹脂を有しパルプ繊維を有しないことが好ましい。中央吸収体にシート状吸収層を設けることにより、中央吸収体の厚みを厚くし過ぎずに、中央吸収体の吸収容量を高めることができる。
【発明の効果】
【００１５】
本発明の吸収性物品は、中央吸収体の幅方向の一方側に設けられた第１サイド吸収体と他方側に設けられた第２サイド吸収体が幅方向の内方にスライドすることにより、吸収性物品を着用者の股間の幅に合わせて幅狭に形成することができ、吸収性物品の着用者の股間部付近での収まりが良好となる。また、第１サイド吸収体と第２サイド吸収体の幅方向の内方縁に切欠きが形成されているため、切欠きが形成された部分で第１サイド吸収体と第２サイド吸収体の間隔が広がり、尿等の横漏れが防止されやすくなる。
【図面の簡単な説明】
【００１６】
【図１】本発明の吸収性物品の第１実施態様として、吸収性物品（尿パッド）をトップシート側から見た平面図を表す。
【図２】図１に示した吸収性物品のＡ−Ａ断面の一例を表す。
【図３】本発明の吸収性物品の第２実施態様として、吸収性物品（尿パッド）をトップシート側から見た平面図を表す。
【図４】図３に示した吸収性物品のＢ−Ｂ断面の一例を表す。
【図５】本発明の吸収性物品の第３実施態様として、吸収性物品（尿パッド）をトップシート側から見た平面図を表す。
【図６】図５に示した吸収性物品のＣ−Ｃ断面の一例を表す。
【図７】本発明の吸収性物品の第４実施態様として、吸収性物品（尿パッド）をトップシート側から見た平面図を表す。
【図８】図７に示した吸収性物品のＤ−Ｄ断面の一例を表す。
【図９】本発明の吸収性物品の第５実施態様として、吸収性物品（尿パッド）をトップシート側から見た平面図を表す。
【図１０】図９に示した吸収性物品のＥ−Ｅ断面の一例を表す。
【図１１】図１に示した吸収性物品のＡ−Ａ断面の他の一例を表す。
【図１２】図１１に示した吸収性物品において、幅方向断面が幅狭に形成された状態を表す。
【図１３】図１に示した吸収性物品のＡ−Ａ断面の他の一例を表す。
【図１４】図１に示した吸収性物品のＡ−Ａ断面の他の一例を表す。
【発明を実施するための形態】
【００１７】
本発明の吸収性物品は、液透過性のトップシートと液不透過性のバックシートとこれらの間に配された中央吸収性コアとを有する中央吸収体と、中央吸収体の上面の幅方向一方側に接合され、第１サイド吸収性コアを有する第１サイド吸収体と、中央吸収体の上面の幅方向他方側に接合され、第２サイド吸収性コアを有する第２サイド吸収体とを有する。本発明の吸収性物品の態様としては、尿パッド（失禁パッドを含む）、使い捨ておむつ、生理用ナプキン等が示される。
【００１８】
吸収性物品の長手方向とは、吸収性物品を着用者が着用した際、着用者の股間の前後方向に延びる方向を意味する。幅方向とは、吸収性物品を平面に広げた状態で吸収性物品と同一面上にあり、長手方向と直交する方向を意味する。上下方向とは、長手方向と幅方向から形成される面に対して直交する方向を意味する。上側とは、吸収性物品を着用した際の着用者側を意味し、下側とは、吸収性物品を着用した際の着用者とは反対側、すなわち外側を意味する。上面とは上側に位置する面を意味し、下面とは下側に位置する面を意味する。
【００１９】
吸収性物品の形状は特に限定されない。吸収性物品が、例えば尿パッド、生理用ナプキンである場合、吸収性物品の形状としては、略長方形、砂時計型、ひょうたん型、羽子板型等が示される。
【００２０】
吸収性物品が使い捨ておむつである場合、使い捨ておむつは、左右に一対の止着部材が設けられ、当該止着部材により着用時にパンツ型に形成するオープン型使い捨ておむつであってもよく、ウェスト開口部と一対の脚開口部とが形成されたパンツ型使い捨ておむつであってもよい。
【００２１】
第１サイド吸収体と第２サイド吸収体は、中央吸収体の上面の幅方向の一方側または他方側に接合される限り、吸収性物品を完全に広げた状態で、中央吸収性コアと重なって配されても、中央吸収性コアより幅方向の外方に配されてもよい。なお、第１サイド吸収体と第２サイド吸収体は、吸収性物品を完全に広げた状態では、互いに重なって配されないことが好ましい。吸収性物品を完全に広げた状態とは、吸収性物品に弾性部材が設けられる場合、吸収性物品に設けられた弾性部材を伸張させて吸収性物品を完全に広げた状態を意味する。
【００２２】
第１および第２サイド吸収体は、幅方向の内方側が少なくとも長手方向の中間部において中央吸収体に接合されない。このとき、第１および第２サイド吸収体は、少なくとも長手方向の中間部において、幅方向の内方側がいずれの部材にも接合されない。なお、第１および第２サイド吸収体の長手方向の中間部とは、第１および第２サイド吸収体を長手方向に３分割した場合の中間に位置する部分に相当し、中間部の長手方向の両側の部分は両端部と称する。
【００２３】
本発明の吸収性物品は、第１および第２サイド吸収体の幅方向の内方側が少なくとも長手方向の中間部において中央吸収体に接合されないため、吸収性物品が幅方向の外方から力を受けると、第１および第２サイド吸収体の長手方向の中間部では、第１および第２サイド吸収体の幅方向の内方側が中央吸収体に対しスライドできる。従って、吸収性物品が着用者の股間部で両大腿部により幅方向の外方から力を受けると、第１および第２サイド吸収体が幅方向の内方にスライドして吸収性物品の幅（幅方向の長さ）が狭くなり、吸収性物品の着用者の股間部付近での収まりが良好となる。また、中央吸収性コアと第１サイド吸収性コアと第２サイド吸収性コアとを合わせた幅を通常の吸収性物品の吸収性コアの幅よりも広く形成することができるため、吸収性物品全体としての尿等の吸収容量を高くすることができる。
【００２４】
ところで、第１サイド吸収体と第２サイド吸収体が幅方向の内方にスライドすると、第１サイド吸収体と第２サイド吸収体が互いに接したり重なったりする場合がある。この場合、着用者から尿等が排泄されると、尿等が中央吸収体に移行しにくくなり、中央吸収体の吸収能力が十分に活用されないおそれがある。また、第１サイド吸収体と第２サイド吸収体が互いに接したり重なったりしなくても、第１サイド吸収体と第２サイド吸収体の間の間隔が狭くなって尿等が中央吸収体に移行しにくくなり、中央吸収体の吸収能力が十分に活用されないおそれがある。
【００２５】
そこで、本発明の吸収性物品には、第１および第２サイド吸収体の幅方向の内方縁に切欠きが形成されている。第１および第２サイド吸収体の幅方向の内方縁に切欠きが形成されていれば、切欠きが形成された部分で第１サイド吸収体と第２サイド吸収体の間隔が広がり、当該部分で、着用者から排泄された尿等のより多くの量を中央吸収体に移行させることができる。従って、第１および第２サイド吸収性コアとともに中央吸収性コアも尿等の吸収に十分寄与できるようになり、尿等の横漏れが防止されやすくなる。
【００２６】
第１および第２サイド吸収体の幅方向の内方縁の切欠きが形成された部分では、内方縁が外方に張り出した形状を有していれば、切欠きの形状は特に限定されない。切欠きは、幅方向の外方に湾曲する曲線状でもよく、幅方向の外方に張り出した直線状でもよい。後者の場合、切欠きの形状としては、三角形の一辺が欠けた形状や、台形の底辺が欠けた形状等が挙げられる。また、切欠きは直線と曲線が組み合わされた形状で形成されてもよい。
【００２７】
切欠きは、着用者の排尿口付近に形成されることが好ましい。すなわち切欠きは、吸収性物品を着用した際に、着用者の排尿部が当てられる付近に形成されることが好ましい。このように切欠きが形成されれば、切欠きが形成された部分で着用者から排泄された尿等のより多くの量を、中央吸収体に移行させやすくなる。
【００２８】
次に本発明の吸収性物品の各構成部材について説明する。
【００２９】
中央吸収体は、トップシートとバックシートと中央吸収性コアを少なくとも有する。中央吸収体は、さらに別の吸収性コアや別のシート部材を有していてもよい。
【００３０】
トップシートは液透過性であればその材料は特に限定されない。トップシートは着用者の肌に面するように配され、尿等の排泄物はトップシートを通って中央吸収性コアに吸収される。トップシートとしては、例えば、セルロース、レーヨン、コットン等の親水性繊維から形成された不織布や；ポリプロピレン、ポリエチレン、ポリエステル、ポリアミド、ナイロン等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００３１】
バックシートは液不透過性であれば特にその材料は限定されない。バックシートは、排泄物が外部へ漏れるのを防ぐ。バックシートとしては、ポリプロピレン、ポリエチレン、ポリエステル、ポリアミド、ナイロン等の疎水性繊維から形成された不織布や、プラスチックフィルム等を用いることができる。また、不織布とプラスチックフィルムとの積層体を用いてもよい。
【００３２】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００３３】
中央吸収性コアは、トップシートとバックシートとの間に配され、尿等の排泄物を吸収する。中央吸収性コアは、尿等の排泄物を吸収できるものであれば特に限定されない。中央吸収性コアとしては、例えば、吸収性材料を所定形状に成形した成形体を用いたり、吸収性材料を紙シート（例えば、ティッシュペーパー）や液透過性不織布等のシート部材で覆ったものを用いることができる。中央吸収性コアに含まれる吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、中央吸収性コアの保形性を高めるために、ポリエチレン、ポリプロピレン等のポリオレフィン繊維や、ＰＥＴ等のポリエステル繊維、ポリアミド繊維等の熱融着性繊維が含まれてもよい。熱融着性繊維はまた、尿等の体液との親和性を高めるために、界面活性剤等により親水化処理がされていてもよい。なお、熱融着性繊維とは、熱可塑性樹脂からなる繊維を意味する。
【００３４】
中央吸収性コアはパルプ繊維を含むことが好ましい。中央吸収性コアがパルプ繊維を含んでいれば、中央吸収性コアがある程度の厚みと剛性を有するようになるため、中央吸収性コアが折れ曲がったり歪んだりしにくくなる。従って、第１および第２サイド吸収体が幅方向の内方にスライドして中央吸収性コアと重なる際、第１および第２サイド吸収体が中央吸収性コアとスムーズに重なりやすくなる。
【００３５】
中央吸収性コアに含まれるパルプ繊維としては、解繊パルプ繊維が好ましく用いられる。また、解繊パルプ繊維は、繊維塊として用いられることが好ましい。
【００３６】
中央吸収性コアの目付は、８０ｇ／ｍ2以上が好ましく、１００ｇ／ｍ2以上がより好ましく、また２００ｇ／ｍ2以下が好ましく、１８０ｇ／ｍ2以下がより好ましい。中央吸収性コアの目付が８０ｇ／ｍ2以上であれば、中央吸収性コアが十分な剛性を有しやすくなる。中央吸収性コアの目付が２００ｇ／ｍ2以下であれば、吸収性物品全体の厚みが厚くなり過ぎず、吸収性物品の装着感が向上する。
【００３７】
中央吸収性コアの形状は、特に限定されず、例えば、長方形、砂時計型、ひょうたん型、羽子板型等が挙げられる。
【００３８】
第１サイド吸収体は少なくとも第１サイド吸収性コアを有すればよく、例えば、第１サイド吸収性コアがシート部材に包まれてもよい。同様に、第２サイド吸収体は少なくとも第２サイド吸収性コアを有すればよく、例えば、第２サイド吸収性コアがシート部材に包まれてもよい。第１サイド吸収性コアまたは第２サイド吸収性コアを包むシート部材は、一部または全部が液透過性であればよい。
【００３９】
第１および第２サイド吸収性コアとしては、中央吸収性コアに使用可能な吸収性材料を用いればよく、吸収性材料を所定形状に成形した成形体を用いたり、吸収性材料を紙シート（例えば、ティッシュペーパー）や液透過性不織布等のシート部材で覆ったものを用いることができる。
【００４０】
第１および第２サイド吸収性コアは、吸収性材料としてパルプ繊維を含むことが好ましい。第１および第２サイド吸収性コアがパルプ繊維を含んでいれば、第１および第２サイド吸収性コアがある程度の剛性を有するようになるため、第１および第２サイド吸収体が変形したりして幅方向にスライドしにくくなることを防止しやすくなる。第１および第２サイド吸収性コアに含まれるパルプ繊維としては、中央吸収性コアに好適に用いられるパルプ繊維を用いればよい。
【００４１】
第１および第２サイド吸収性コアの目付は、８０ｇ／ｍ2以上が好ましく、１００ｇ／ｍ2以上がより好ましく、また２００ｇ／ｍ2以下が好ましく、１８０ｇ／ｍ2以下がより好ましい。第１および第２サイド吸収性コアの目付が８０ｇ／ｍ2以上であれば、第１および第２サイド吸収性コアが十分な剛性を有しやすくなる。第１および第２サイド吸収性コアの目付が２００ｇ／ｍ2以下であれば、吸収性物品の全体の厚みが厚くなりにくくなり、吸収性物品の装着感が向上する。なお、第１サイド吸収性コアと第２サイド吸収性コアの目付は、同一であっても異なっていてもよい。
【００４２】
次に図面を参照して、本発明の吸収性物品の好ましい様々な実施態様を詳細に説明する。なお、本発明は、図面に示される実施態様に限定されるものではない。
【００４３】
図１，２には、本発明の吸収性物品の第１実施態様を示した。図１は、本発明の吸収性物品として尿パッドをトップシート側から見た平面図を表す。図１は、尿パッドを着用した際の着用者の肌に面する側（肌面側）を表している。図２は、図１のＡ−Ａ断面の一例を表す。なお、本願の図では、矢印ｘが幅方向、矢印ｙが長手方向を表し、矢印ｘ，ｙにより形成される面に対して垂直方向が上下方向ｚを表す。
【００４４】
吸収性物品１Ａは、液透過性のトップシート３と、液不透過性のバックシート４と、これらの間に配された中央吸収性コア５とを有する中央吸収体２と、中央吸収体２の上面の幅方向ｘの一方側に接合された第１サイド吸収体１１と、中央吸収体２の上面の幅方向ｘの他方側に接合された第２サイド吸収体２１を有する。図１において、吸収性物品１Ａは砂時計型の形状をしているが、吸収性物品１Ａの形状はこれに限定されず、略長方形、ひょうたん型、羽子板型等であってもよい。
【００４５】
第１サイド吸収体１１は、第１サイド吸収性コア１３が第１被覆シート１２により包まれ、第２サイド吸収体２１は、第２サイド吸収性コア２３が第２被覆シート２２により包まれている。吸収性物品１Ａでは、第１サイド吸収性コア１３が１枚の第１被覆シート１２により包まれ、第２サイド吸収性コア２３が１枚の第２被覆シート２２により包まれているため、第１被覆シート１２と第２被覆シート２２は液透過性であることが好ましい。液透過性のシートとしては、トップシートに使用可能なシート部材を用いればよい。
【００４６】
第１サイド吸収体１１と第２サイド吸収体２１は、幅方向ｘの内方側が少なくとも長手方向ｙの中間部において中央吸収体２に接合されない。一方、第１サイド吸収体１１と第２サイド吸収体２１の幅方向ｘの外方側は、中央吸収性コア５の幅方向ｘの両側縁より外方で中央吸収体２に接合されている。
【００４７】
吸収性物品１Ａでは、第１および第２サイド吸収体１１，２１は、接合部８により中央吸収体２に接合されている（図２）。詳細には、第１サイド吸収体１１は、幅方向ｘの外方側が、第１サイド吸収性コア１３が存在する領域で接合部８ａにより中央吸収体２に接合され、さらに、第１サイド吸収性コア１３より幅方向ｘの外方の部分で接合部８ｂにより中央吸収体２に接合されている。第２サイド吸収体２１についても同様である。第１および第２サイド吸収体１１，２１は、第１サイド吸収性コア１３または第２サイド吸収性コア２３が存在する領域で中央吸収体２に接合されることにより、中央吸収体２に固定して取り付けられるようになる。従って、吸収性物品１Ａは形状安定性が向上するとともに、第１および第２サイド吸収体１１，２１は幅方向ｘの外方または内方への力に対する追従性が向上する。
【００４８】
第１サイド吸収性コア１３が存在する領域とは、吸収性物品１Ａを平面視した状態（トップシート３側またはバックシート４側から見た状態）で第１サイド吸収性コア１３が存在する領域（ｘｙ平面への投射領域）を意味する。第１サイド吸収体１１が折り畳まれたり、弾性部材の影響により歪んだりしている場合は、第１サイド吸収体１１を完全に広げた状態に基づく。第２サイド吸収性コア２３が存在する領域についても同様である。
【００４９】
吸収性物品１Ａは、第１および第２サイド吸収体１１，２１の幅方向ｘの内方側が少なくとも長手方向ｙの中間部において中央吸収体２に接合されないため、吸収性物品１Ａが幅方向ｘの外方から力を受けると、第１および第２サイド吸収体１１，２１の長手方向ｙの中間部では、第１および第２サイド吸収体１１，２１の幅方向ｘの内方側が中央吸収体２に対しスライドできる。従って、吸収性物品１Ａは、着用者の股間部の幅に合わせて幅狭に形成することができ、吸収性物品１Ａの着用者の股間部付近での収まりが良好となる。
【００５０】
第１サイド吸収体１１は幅方向ｘの内方縁に切欠き１４が形成され、第２サイド吸収体２１は幅方向ｘの内方縁に切欠き２４が形成されている。従って、切欠き１４，２４が形成された部分では第１サイド吸収体１１と第２サイド吸収体２１の間隔が広がり、当該部分で、着用者から排泄された尿等のより多くの量を中央吸収体２に移行させることができ、尿等の横漏れが防止されやすくなる。
【００５１】
吸収性物品１Ａでは、第１および第２サイド吸収体１１，２１は、幅方向ｘの外方側が、中央吸収性コア５の幅方向ｘの両側縁より外方で中央吸収体２に接合されている。そのため、中央吸収性コア５の幅方向ｘの両側縁より外方では、中央吸収体２と第１サイド吸収体１１との間および中央吸収体２と第２サイド吸収体２１との間に隙間が形成されやすくなる。従って、着用者から排泄された尿等はこの隙間を利用して長手方向ｙに拡散しやすくなる。長手方向ｙに拡散した尿等は中央吸収性コア５や第１および第２サイド吸収性コア１３，２３により吸収されるため、吸収性物品１Ａは尿等を速やかに吸収することが可能になる。
【００５２】
図２では、第１および第２サイド吸収体１１，２１はトップシート３に接合されているが、例えばトップシート３がバックシート４よりも幅狭な場合は、第１および第２サイド吸収体１１，２１はバックシート４に接合されたり、あるいはトップシート３とバックシート４に跨って接合され得る。
【００５３】
第１および第２サイド吸収体１１，２１は、幅方向ｘの内方側が少なくとも長手方向ｙの中間部で中央吸収体２に接合されないが、幅方向ｘの内方側は、好ましくは、長手方向ｙの両端部が中央吸収体２に接合され、長手方向ｙの中間部が中央吸収体２に接合されない。第１および第２サイド吸収体１１，２１の幅方向ｘの内方側が長手方向ｙの両端部において中央吸収体２に接合されれば、第１および第２サイド吸収体１１，２１の幅方向ｘの内方側がめくり上がりにくくなり、吸収性物品１Ａを好適に使用しやすくなる。また、尿等が中央吸収性コア５の幅方向ｘの外方で長手方向ｙに拡散しても、吸収性物品１Ａの長手方向ｙの端部を越えて漏れにくくなる。第１および第２サイド吸収体１１，２１は、幅方向ｘの内方側で、中間部として長手方向ｙの１５％以上９０％以下の部分（より好ましくは４０％以上８０％以下の部分）が中央吸収体２に接合されず、残りの部分が中央吸収体２に接合されることが好ましい。なお、前記説明した中間部の好ましい範囲は、吸収性物品１Ａを完全に広げた状態に基づく。
【００５４】
第１および第２サイド吸収体１１，２１は、幅方向ｘの内方縁から１５ｍｍ以上の領域が中央吸収体２に接合しないことが好ましい。すなわち、第１および第２サイド吸収体１１，２１は、幅方向ｘの内方縁から１５ｍｍ以上にわたって中央吸収体２に接合しない部分が存在することが好ましい。このように第１および第２サイド吸収体１１，２１の幅方向ｘの内方側に中央吸収体２に接合しない部分が形成されれば、第１および第２サイド吸収体１１，２１が幅方向ｘにスライドして、吸収性物品１Ａの幅を効果的に狭めることが可能となる。より好ましくは、第１および第２サイド吸収体１１，２１は、幅方向ｘの内方縁から２０ｍｍ以上の領域が中央吸収体２に接合せず、さらに好ましくは、幅方向ｘの内方縁から３０ｍｍ以上の領域が中央吸収体２に接合しない。
【００５５】
第１サイド吸収体１１と第２サイド吸収体２１は、長手方向ｙの中間部で、互いに最も近接した部分が２５ｍｍ以上離間していることが好ましい。このように第１サイド吸収体１１と第２サイド吸収体２１が設けられれば、第１サイド吸収体１１と第２サイド吸収体２１が幅方向ｘの内方にスライドしても、第１サイド吸収体１１と第２サイド吸収体２１が互いに重なりにくくなり、中央吸収体２の吸収能力が十分活用されやすくなる。また、尿等が中央吸収体２に収容されやすくなり、横漏れが防止されやすくなる。より好ましくは、第１サイド吸収体１１と第２サイド吸収体２１は、長手方向ｙの中間部で４０ｍｍ以上離間している。なお、前記説明した第１サイド吸収体１１と第２サイド吸収体２１の位置関係は、吸収性物品１Ａを完全に広げた状態に基づく。
【００５６】
図１，２では、吸収性物品１Ａは、第１および第２サイド吸収体１１，２１が中央吸収性コア５と重ならないように配されているが、第１および第２サイド吸収体１１，２１は中央吸収性コア５と重なって配されてもよい。また、第１および第２サイド吸収体１１，２１は、幅方向ｘの内方縁が、中央吸収性コア５の幅方向ｘの外方縁から離間するように配されてもよい。
【００５７】
第１サイド吸収体１１と第２サイド吸収体２１は、中央吸収性コア５に対し、次のように配されることが好ましい。すなわち、第１サイド吸収性コア１３と第２サイド吸収性コア２３は、幅方向ｘの内方縁（内方縁のうち最も内方にある部分）が、中央吸収性コア５と重なるか、中央吸収性コア５の幅方向ｘの両側縁から外方に１５ｍｍ以内（より好ましくは１０ｍｍ以内であり、さらに好ましくは５ｍｍ以内）にあることが好ましい。この場合、中央吸収性コア５の幅方向ｘの外方に第１サイド吸収性コア１３または第２サイド吸収性コア２３が重ならない領域が少なくなるため、中央吸収性コア５の幅方向ｘの外方に移行した尿等が、中央吸収性コア５、第１サイド吸収性コア１３、第２サイド吸収性コア２３のいずれかに速やかに吸収されやすくなる。なお、前記説明した第１および第２サイド吸収性コア１３，２３と中央吸収性コア５の位置関係は、吸収性物品１を完全に広げた状態に基づく。
【００５８】
吸収性物品１Ａの上面には、幅方向ｘの両側に一対の立ち上がりフラップ３１が備えられることが好ましい。立ち上がりフラップ３１が備えられることにより、尿等の横漏れを防止することができる。立ち上がりフラップ３１は、図２に示すように、第１および第２サイド吸収体１１，２１に液不透過性のシートを接合し、このシートの幅方向ｘの内方端に弾性部材３２を設けることにより形成されることが好ましい。このように立ち上がりフラップ３１を設けることにより、吸収性物品１Ａを着用した際、立ち上がりフラップ３１が弾性部材３２の収縮力により上方に立ち上がり、防漏壁が形成される。吸収性物品１Ａにおいては、立ち上がりフラップ３１は、第１サイド吸収性コア１３より幅方向ｘの外方の部分で第１サイド吸収体１１に接合され、第２サイド吸収性コア２３より幅方向ｘの外方の部分で第２サイド吸収体２１に接合されることが好ましい。立ち上がりフラップ３１を構成する液不透過性のシートとしては、液不透過性のプラスチックフィルムや液不透過性の不織布等を採用すればよい。
【００５９】
立ち上がりフラップ３１は、上方に立ち上がる部分の基部に、弾性部材３３が設けられることが好ましい。立ち上がりフラップ３１の基部に弾性部材３３が設けられることにより、弾性部材３３が設けられた部分で第１および第２サイド吸収体１１，２１が着用者側に持ち上げられるとともに、第１および第２サイド吸収体１１，２１が長手方向ｙに対し湾曲するようになる。その結果、第１および第２サイド吸収体１１，２１の着用者へのフィット性が高まる。
【００６０】
次に、本発明の吸収性物品の第２実施態様を、図３，４を用いて説明する。図３は、本発明の吸収性物品として尿パッドをトップシート側から見た平面図を表す。図４は、図３のＢ−Ｂ断面の一例を表す。図３，４に示す吸収性物品１Ｂは、主に第１および第２サイド吸収体１１，２１が図１，２に示した吸収性物品１Ａとは異なる。下記に吸収性物品１Ｂについて説明するが、図１，２に示した吸収性物品１Ａと重複する部分の説明は省略する。
【００６１】
吸収性物品１Ｂでは、第１サイド吸収体１１が第１サイド吸収性コア１３より幅方向ｘの外方の部分で接合部８ｂにより中央吸収体２に接合され、第２サイド吸収体２１が第２サイド吸収性コア２３より幅方向ｘの外方の部分で接合部８ｂにより中央吸収体２に接合されている。第１および第２サイド吸収体１１，２１は、第１および第２サイド吸収性コア１３，２３より幅方向ｘの外方の部分が折り畳まれ、第１サイド吸収性コア１３または第２サイド吸収性コア２３が存在する領域で中央吸収体２に接合されていないため、第１および第２サイド吸収体１１，２１が独立して自在に幅方向ｘにスライド可能となっている。
【００６２】
吸収性物品１Ｂも、第１および第２サイド吸収体１１，２１の幅方向ｘの内方側が少なくとも長手方向ｙの中間部において中央吸収体２に接合されないため、第１および第２サイド吸収体１１，２１の幅方向ｘの内方側が中央吸収体２に対しスライドできる。従って、着用者の股間部の幅に合わせて幅狭に形成することができ、着用者の股間部付近での収まりが良好となる。また、第１および第２サイド吸収体１１，２１の幅方向ｘの内方縁に切欠き１４，２４が形成されているため、当該部分で、着用者から排泄された尿等のより多くの量を中央吸収体２に移行させることができ、尿等の横漏れが防止されやすくなる。
【００６３】
吸収性物品１Ｂでは、立ち上がりフラップ３１は、第１および第２サイド吸収体１１，２１より幅方向ｘの外方の部分で、中央吸収体２に接合されている。吸収性物品１Ｂは、このように立ち上がりフラップ３１を備えることにより、尿等の横漏れを防止することができる。
【００６４】
吸収性物品１Ｂでは、第１および第２サイド吸収体１１，２１が独立して幅方向ｘにスライドできるようにするために、立ち上がりフラップ３１が中央吸収体２と第１サイド吸収体１１または中央吸収体２と第２サイド吸収体２１に跨って接合されないことが好ましい。このように、立ち上がりフラップ３１が吸収性物品１Ｂの幅方向ｘの両側縁に第１および第２サイド吸収体１１，２１に接合しないように設けられる場合、吸収性物品１Ｂは略長方形の形状であることが好ましい。
【００６５】
本発明の吸収性物品の第３実施態様を、図５，６を用いて説明する。図５は、本発明の吸収性物品として尿パッドをトップシート側から見た平面図を表す。図６は、図５のＣ−Ｃ断面の一例を表す。図５，６に示す吸収性物品１Ｃは、主に第１および第２サイド吸収体１１，２１の中央吸収体２への接合位置が図３，４に示した吸収性物品１Ｂとは異なる。下記に吸収性物品１Ｃについて説明するが、図３，４に示した吸収性物品１Ｂと重複する部分の説明は省略する。
【００６６】
吸収性物品１Ｃでは、中央吸収性コア５の幅（幅方向ｘの長さ）が吸収性物品１Ｂよりも広く形成されている。そして、第１サイド吸収体１１は、第１サイド吸収性コア１３より幅方向ｘの外方の部分が、中央吸収性コア５と重なる部分で中央吸収体２に接合され、第２サイド吸収体２１は、第２サイド吸収性コア２３より幅方向ｘの外方の部分が、中央吸収性コア５と重なる部分で中央吸収体２に接合されている。第１および第２サイド吸収体１１，２１はこのように中央吸収体２に接合されていてもよく、吸収性物品１Ｃも吸収性物品１Ｂと同様の効果が得られる。
【００６７】
吸収性物品１Ｃでは、第１および第２サイド吸収体１１，２１の幅方向ｘの外方側が、中央吸収性コア５の幅方向ｘの両側縁あるいはそれより内方で中央吸収体２に接合されているが、本発明の吸収性物品としては、吸収性物品１Ａ，１Ｂのように、第１および第２サイド吸収体１１，２１の幅方向ｘの外方側が、中央吸収性コア５の幅方向ｘの両側縁より外方で中央吸収体２に接合していることが好ましい。吸収性物品１Ａ，１Ｂでは、中央吸収性コア５の幅方向ｘの両側縁より外方で、中央吸収体２と第１および第２サイド吸収体１１，２１との間に隙間が形成されやすくなる。従って、着用者から排泄された尿等はこの隙間を利用して長手方向ｙに拡散しやすくなる。長手方向ｙに拡散した尿等は中央吸収性コア５や第１および第２サイド吸収性コア１３，２３により吸収されるため、尿等が速やかに吸収されやすくなる。
【００６８】
第１および第２サイド吸収体１１，２１の幅方向ｘの外方側が、中央吸収性コア５の幅方向ｘの両側縁より外方で中央吸収体２に接合する場合、第１サイド吸収性コア１３と第２サイド吸収性コア２３は中央吸収性コア５と重なる部分が少ないことが好ましい。具体的には、第１サイド吸収性コア１３と第２サイド吸収性コア２３は、幅方向ｘの内方縁（内方縁のうち最も内方にある部分）が、中央吸収性コア５の幅方向ｘの両側縁から１５ｍｍ以内（より好ましくは１０ｍｍ以内であり、さらに好ましくは５ｍｍ以内）にあることが好ましい。この場合、吸収性物品１は厚みが厚くなりすぎず、着用感が向上する。なお、前記説明した第１および第２サイド吸収性コア１３，２３と中央吸収性コア５の位置関係は、吸収性物品１を完全に広げた状態に基づく。
【００６９】
本発明の吸収性物品としてはまた、吸収性物品１Ａのように、第１および第２サイド吸収体１１，２１が、第１サイド吸収性コア１３または第２サイド吸収性コア２３が存在する領域で中央吸収体２に接合されることが好ましい。吸収性物品１Ｂ，１Ｃでは、第１および第２サイド吸収体１１，２１が、第１サイド吸収性コア１３または第２サイド吸収性コア２３が存在する領域で中央吸収体２に接合されないが、吸収性物品１Ａは、吸収性物品１Ｂ，１Ｃと比較して、吸収性物品の形状安定性が向上するとともに、第１および第２サイド吸収体１１，２１の幅方向ｘの外方または内方の力に対する追従性が向上する。従って、吸収性物品１Ａは、着用者の股間部の幅に合わせて、より容易に幅方向ｘの長さを調整することができ、着用者の股間部付近での収まりが良好となる。
【００７０】
次に、本発明の吸収性物品の第４実施態様を、図７，８を用いて説明する。図７は、本発明の吸収性物品として尿パッドをトップシート側から見た平面図を表す。図８は、図７のＤ−Ｄ断面の一例を表す。図７，８に示す吸収性物品１Ｄは、主に中央吸収体２の構成と第１および第２サイド吸収体１１，２１の構成が、図１，２に示した吸収性物品１Ａとは異なる。下記に吸収性物品１Ｄについて説明するが、図１，２に示した吸収性物品１Ａと重複する部分の説明は省略する。
【００７１】
吸収性物品１Ｄの中央吸収体２では、中央吸収性コア５とバックシート４の間に中間シート６が配されている。すなわち、中央吸収体２が、トップシート３と中間シート６とこれらの間に配された中央吸収性コア５とを有するとともに、中間シート６の下側にバックシート４を有している。
【００７２】
中間シート６は、接合部９によりバックシート４と接合している。バックシート４と中間シート６を接合する接合部９は、中央吸収性コア５の幅方向ｘの両側縁近傍に少なくとも設けられることが好ましく、具体的には中央吸収性コア５の幅方向ｘの両側縁から１５ｍｍ以内の領域（より好ましくは７ｍｍ以内の領域）にあることが好ましい。このように中間シート６がバックシート４に接合されれば、第１および第２サイド吸収体１１，２１が中央吸収性コア５に重なるようにスライドしやすくなる。
【００７３】
吸収性物品１Ｄの第１および第２サイド吸収体１１，２１では、図８に示すように、第１被覆シート１２が上側第１被覆シート１２ａと下側第１被覆シート１２ｂから構成され、第２被覆シート２２が上側第２被覆シート２２ａと下側第２被覆シート２２ｂから構成されている。つまり、第１サイド吸収性コア１３が上側第１被覆シート１２ａと下側第１被覆シート１２ｂの間に配され、第２サイド吸収性コア２３が上側第２被覆シート２２ａと下側第２被覆シート２２ｂの間に配されている。
【００７４】
中間シート６は液透過性であっても液不透過性であってもよい。上側第１被覆シート１２ａと上側第２被覆シート２２ａは液透過性であることが好ましい。下側第１被覆シート１２ｂと下側第２被覆シート２２ｂは液透過性であっても液不透過性であってもよいが、液透過性であることが好ましい。液透過性のシートとしてはトップシートに使用可能なシート部材を用いればよく、液不透過性のシートとしてはバックシートに使用可能なシート部材を用いればよい。
【００７５】
吸収性物品１Ｄも、第１および第２サイド吸収体１１，２１の幅方向ｘの内方側が少なくとも長手方向ｙの中間部において中央吸収体２に接合されないため、第１および第２サイド吸収体１１，２１の幅方向ｘの内方側が中央吸収体２に対しスライドできる。従って、着用者の股間部の幅に合わせて幅狭に形成することができ、着用者の股間部付近での収まりが良好となる。また、第１および第２サイド吸収体１１，２１の幅方向ｘの内方縁に切欠き１４，２４が形成されているため、当該部分で、着用者から排泄された尿等のより多くの量を中央吸収体２に移行させることができ、尿等の横漏れが防止されやすくなる。
【００７６】
吸収性物品１Ｄでは、中央吸収体２において中央吸収性コア５がトップシート３と中間シート６に挟まれた構造と、第１サイド吸収体１１において第１サイド吸収性コア１３が上側第１被覆シート１２ａと下側第１被覆シート１２ｂに挟まれた構造と、第２サイド吸収体２１において第２サイド吸収性コア２３が上側第２被覆シート２２ａと下側第２被覆シート２２ｂに挟まれた構造とを、同一にすることができる。つまり、中央吸収性コア５と第１サイド吸収性コア１３と第２サイド吸収性コア２３を同一材料から形成し、トップシート３と上側第１被覆シート１２ａと上側第２被覆シート２２ａを同一材料から形成し、中間シート６と下側第１被覆シート１２ｂと下側第２被覆シート２２ｂを同一材料から形成することができ、製造が容易になる。
【００７７】
吸収性物品１Ｄは、図７に示されるように、中央吸収性コア５が第１サイド吸収性コア１３と第２サイド吸収性コア２３に対し、長手方向ｙ全体にわたって分離している。しかし、吸収性物品１Ｄのような実施態様では、中央吸収性コア５が長手方向ｙの両端部で第１サイド吸収性コア１３と第２サイド吸収性コア２３に連結して一体化するように、中央吸収性コア５と第１サイド吸収性コア１３と第２サイド吸収性コア２３が形成されることも可能である。これについて、図９，１０を用いて説明する。
【００７８】
図９，１０には本発明の吸収性物品の第５実施態様を示した。図９は、本発明の吸収性物品として尿パッドをトップシート側から見た平面図を表す。図１０は、図９のＥ−Ｅ断面の一例を表す。下記に吸収性物品１Ｅについて説明するが、図７，８に示した吸収性物品１Ｄと重複する部分の説明は省略する。
【００７９】
吸収性物品１Ｅでは、中央吸収性コア５が長手方向ｙの両端部で第１サイド吸収性コア１３と第２サイド吸収性コア２３に連結している。このとき、トップシート３が長手方向ｙの両端部で上側第１被覆シート１２ａと上側第２被覆シート２２ａに連結し、中間シート６が長手方向ｙの両端部で下側第１被覆シート１２ｂと下側第２被覆シート２２ｂに連結していることが好ましい。このように吸収性物品１Ｅが形成されれば、吸収性物品１Ｅは、液透過性のトップシート３，１２ａ，２２ａと、液透過性または液不透過性の中間シート６，１２ｂ，２２ｂと、これらの間に配された吸収性コア６，１３，２３とを有する吸収体と、この吸収体の下側に配されたバックシート４とを有し、吸収体に長手方向ｙに延びるスリットが幅方向ｘに並んで２つ形成されたものとみなせる。このとき、スリットの幅方向ｘの外方部分には第１サイド吸収性コア１３と第２サイド吸収性コア２３が形成され、２つのスリットの間には中央吸収性コア５が形成されている。
【００８０】
吸収性物品１Ｅも吸収性物品１Ｄと同様の効果が得られる。吸収性物品１Ｅは、トップシートと中間シートの間に吸収性コアが配された吸収体を得て、その後吸収体にスリットを形成し、さらにバックシートを設けることにより製造することができるため、吸収性物品をより簡便に製造することができる。
【００８１】
本発明の吸収性物品は、第１サイド吸収体１１と第２サイド吸収体２１が幅方向ｘの内方にスライドしやすくするために、中央吸収体２に、中央吸収性コア５の幅方向ｘの両側縁より外方の第１サイド吸収体１１または第２サイド吸収体２１が接合されない部分に、長手方向ｙに延びる弾性部材が設けられることが好ましい。これについて、図１，２に示した吸収性物品１Ａを例にとって説明する。
【００８２】
図１１には、図２に示した吸収性物品１Ａに、弾性部材７が設けられた実施態様を示した。弾性部材７は、中央吸収体２に、中央吸収性コア５の幅方向ｘの両側縁より外方、かつ、第１サイド吸収体１１または第２サイド吸収体２１が接合されない部分に、長手方向ｙに延びるように設けられる。このように弾性部材７が設けられれば、図１２に示すように、弾性部材７の収縮力により第１サイド吸収体１１と第２サイド吸収体２１が持ち上げられて、第１サイド吸収体１１と第２サイド吸収体２１が幅方向ｘにスライドしやすくなる。特に、第１サイド吸収体１１と第２サイド吸収体２１が中央吸収性コア５と重なった状態でも、第１サイド吸収体１１と第２サイド吸収体２１が幅方向ｘにスライドしやすくなる。そのため吸収性物品１Ａは、弾性部材７が設けられることにより、着用者の股間の幅に合わせて容易に幅狭に形成することができ、吸収性物品の着用者の股間部付近での収まりが良好となる。なお、弾性部材７は、少なくとも一部が、第１サイド吸収体１１または第２サイド吸収体２１が中央吸収体２に接合されない部分に設けられればよい。
【００８３】
中央吸収体２に弾性部材７が設けられる場合、中央吸収性コア５はパルプ繊維を含むことが好ましい。中央吸収性コアがパルプ繊維を含んでいれば、中央吸収性コアがある程度の剛性を有するようになるため、中央吸収性コアが折れ曲がったり歪んだりしにくくなる。従って、弾性部材７の収縮力により、中央吸収性コア５の幅方向ｘの外方の部分が、中央吸収性コア５の幅方向ｘの両側縁を起点として立ち上がりやすくなる。その結果、第１サイド吸収体１１と第２サイド吸収体２１が中央吸収性コア５に対し持ち上げられやすくなり、第１サイド吸収体１１と第２サイド吸収体２１が幅方向ｘの内方にスライドしやすくなる。
【００８４】
弾性部材７は、中央吸収性コア５の幅方向ｘの両側縁より５ｍｍ以上離間して設けられることが好ましく、１０ｍｍ以上離間して設けられることがより好ましく、１５ｍｍ以上離間して設けられることがさらに好ましい。弾性部材７が中央吸収性コア５の幅方向ｘの両側縁より５ｍｍ以上離間して設けられれば、第１および第２サイド吸収体１１，２１が幅方向ｘにスライドすることにより、吸収性物品１Ａの幅を効果的に狭めることができる。
【００８５】
弾性部材７は、第１サイド吸収体１１または第２サイド吸収体２１が中央吸収体２に重なる部分に設けられることが好ましい。このように弾性部材７が設けられれば、弾性部材７により第１および第２サイド吸収体１１，２１が持ち上げられやすくなるため、第１および第２サイド吸収体１１，２１が幅方向ｘの内方にスライドしやすくなる。
【００８６】
弾性部材７は、長手方向ｙに対し、中間部の３０％以上にわたって設けられることが好ましく、４０％以上にわたって設けられることがより好ましい。弾性部材７が中間部の３０％以上にわたって設けられれば、弾性部材７の収縮力により中央吸収性コア５の幅方向ｘの外方の部分を立ち上げて、第１および第２サイド吸収体１１，２１を幅方向ｘの内方にスライドさせやすくなる。なお、弾性部材７は、中間部の領域を越えて延在してもよい。
【００８７】
弾性部材７は中央吸収体２に設けられる限り、中央吸収性コア５を除いて、中央吸収体２を構成するいずれの部材に固定されてもよい。弾性部材７はトップシート３に接合されてもよく、バックシート４に接合されてもよく、その両方に接合されてもよい。弾性部材７は、中央吸収体２の上面に設けられてもよいし、下面に設けられてもよいし、中央吸収体２を構成する部材間に設けられてもよい。
【００８８】
弾性部材７としては、ポリウレタン糸、ポリウレタンフィルム、天然ゴム等の通常の吸収性物品に用いられる弾性伸縮材料が用いることができる。弾性部材７は、伸張状態で、ホットメルト接着剤で固定されることが好ましい。例えば、繊度１００〜２，５００ｄｔｅｘのポリウレタン糸を、倍率１．１〜５．０倍に伸張して配設し、固定する。接合手段としては、ゴム系のホットメルト接着剤を用いることが好ましい。
【００８９】
上記では、弾性部材７を設ける実施態様について吸収性物品１Ａを例にとって説明したが、中央吸収体に、中央吸収性コアの幅方向両側縁より外方の第１サイド吸収体または第２サイド吸収体が接合されない部分に長手方向に延びる弾性部材を設ける実施態様は、例えば吸収性物品１Ｂ，１Ｄ，１Ｅに対しても適用可能である。
【００９０】
本発明の吸収性物品は、中央吸収体の尿等の吸収容量を高めるために、中央吸収体２が、中央吸収性コア５とバックシート４の間に配されたシート状吸収層を有することが好ましい。なお、シート状吸収層とは、不織布シート間に吸水性樹脂を有しパルプ繊維を有しないものを意味する。中央吸収体にシート状吸収層が設けられる実施態様について、図１，２に示した吸収性物品１Ａを例にとって説明する。
【００９１】
図１３には、図２に示した吸収性物品１Ａに、シート状吸収層４１が設けられた実施態様を示した。シート状吸収層４１は、中央吸収体２の中央吸収性コア５とバックシート４との間に配される。なお、例えば図８に示した吸収性物品１Ｄにシート状吸収層４１が設けられる場合は、中間シート６とバックシート４との間に配されることが好ましい。この場合も、シート状吸収層４１は中央吸収性コア５とバックシート４との間に配されていることとなる。
【００９２】
シート状吸収層４１は、不織布シート４３，４３間に吸水性樹脂４２を有しパルプ繊維を有しない。シート状吸収層４１は不織布シート４３，４３間に吸水性樹脂４２を有するため、高い吸収容量を実現できる。従って、中央吸収体２にシート状吸収層４１を設けることにより、中央吸収体２の吸収容量を高めることができる。また、シート状吸収層４１は不織布シート４３，４３間にパルプ繊維を有しないため、嵩張らず薄型に形成することができる。
【００９３】
シート状吸収層４１に設けられる吸水性樹脂４２としては、中央吸収性コア５に使用可能な吸水性樹脂を用いればよく、高い吸収容量を有する点で、ポリアクリル酸ナトリウム等のポリアクリル酸系の吸水性樹脂を用いることが好ましい。
【００９４】
シート状吸収層４１に用いられる不織布シート４３は液透過性であり、そのような不織布シートとしては、例えば、セルロース、レーヨン、コットン等の親水性繊維；ポリプロピレン、ポリエチレン、ポリエステル、ポリアミド等の疎水性繊維を界面活性剤で親水化したものを用いればよい。
【００９５】
シート状吸収層４１は、少なくとも中央吸収性コア５の下面に配されればよいが、図１３に示すように、シート状吸収層４１が中央吸収性コア５より幅方向ｘに広いことが好ましい。この場合、シート状吸収層４１が中央吸収性コア５の幅方向ｘの両側縁から延在することとなる。このようにシート状吸収層４１が設けられれば、中央吸収性コア５の幅方向ｘの外方に移行した尿等がシート状吸収層４１により吸収されるようになり、中央吸収体２での尿等の吸収能力が向上する。
【００９６】
中央吸収体２がシート状吸収層４１を有する場合、中央吸収性コア５は吸収性材料としてパルプ繊維を有することが好ましい。シート状吸収層４１は厚みを薄く形成することができるため、中央吸収性コア５がパルプ繊維を含んでいても、中央吸収体２は全体としての厚みが厚くなり過ぎないようにすることができる。また、中央吸収体２の吸収容量も高められる。そして、中央吸収性コア５がパルプ繊維を含むことで、中央吸収性コア５が折れ曲がったり歪んだりしにくくなり、第１および第２サイド吸収体１１，２１が幅方向ｘの内方にスライドして中央吸収性コア５と重なる際、第１および第２サイド吸収体１１，２１が中央吸収性コア５とスムーズに重なりやすくなる。
【００９７】
中央吸収体２がシート状吸収層４１を有する場合、中央吸収体２に、中央吸収性コア５の幅方向ｘの両側縁より外方、かつ、第１サイド吸収体１１または第２サイド吸収体２１が接合されない部分に、長手方向ｙに延びるように設けられる弾性部材７は、トップシート３に固定されても、バックシート４に固定されても、シート状吸収層４１に固定されてもよい。しかし、中央吸収体２がシート状吸収層４１を有する場合は、図１４に示すように、弾性部材７がシート状吸収層４１に設けられることが好ましい。シート状吸収層４１はトップシート３とバックシート４よりも剛性が高くなるのが一般的であり、シート状吸収層４１に弾性部材７が設けられれば、弾性部材７の収縮力がシート状吸収層４１に直接作用し、中央吸収体２は、中央吸収性コア５の幅方向ｘの外方の部分が立ち上がりやすくなる。その結果、第１および第２サイド吸収体１１，２１が幅方向ｘの内方にスライドしやすくなる。
【００９８】
シート状吸収層４１に弾性部材７が設けられる場合、シート状吸収層４１は、不織布シート４３，４３間に、吸水性樹脂４２が配された吸水性樹脂存在領域と、吸水性樹脂存在領域に隣接して長手方向ｙに延在する吸水性樹脂非存在領域とを有し、弾性部材７が吸水性樹脂非存在領域に配されることが好ましい。弾性部材７がシート状吸収層４１の吸水性樹脂非存在領域に配されていれば、弾性部材７の収縮力が吸水性樹脂４２の存在により阻害されにくくなる。
【００９９】
吸水性樹脂存在領域と吸水性樹脂非存在領域は、シート状吸収層４１の長手方向ｙの長さとほぼ等しい長さを有する略長方形状で設けられることが好ましい。このように吸水性樹脂存在領域と吸水性樹脂非存在領域が設けられれば、シート状吸収層４１に移行した尿等が長手方向ｙに拡散しやすくなり、尿等がシート状吸収層４１によって速やかに吸収されるようになる。また、吸水性樹脂を所定幅で一方向に連続的に散布することにより吸水性樹脂存在領域と吸水性樹脂非存在領域を形成することができるので、シート状吸収層４１の製造が容易になる。
【０１００】
シート状吸収層４１は、吸水性樹脂非存在領域で、不織布シート４３，４３どうしが接合されることが好ましい。このようにシート状吸収層４１が形成されれば、シート状吸収層４１の吸水性樹脂４２が尿等を吸収して膨潤しても、不織布シート４３，４３どうしが接合された封止部に吸水性樹脂４２が侵入しにくくなる。従って、弾性部材７の収縮力が吸水性樹脂４２の存在により阻害されにくくなる。また、封止部では尿等が拡散しやすくなり、シート状吸収層４１により尿等が速やかに吸収されるようになる。
【０１０１】
封止部は、シート状吸収層４１が吸水しても、不織布シート４３，４３どうしの接合が維持されることが好ましい。従って、不織布シート４３，４３どうしは、ゴム系接着剤やスチレン系エラストマーで接着することが好ましい。このような接着剤を用いれば、吸水性樹脂４２が吸水して膨潤しても、不織布シート４３，４３どうしの接合が維持されやすくなる。ゴム系接着剤としては、例えば、天然ゴム系、ブチルゴム系、ポリイソプレン等の接着剤が挙げられ、スチレン系エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等が挙げられる。
【０１０２】
上記では、シート状吸収層４１を設ける実施態様について吸収性物品１Ａを例にとって説明したが、シート状吸収層４１を設ける実施態様は、例えば吸収性物品１Ｂ，１Ｃ，１Ｄ，１Ｅに対しても適用可能である。
【符号の説明】
【０１０３】
１：  吸収性物品（尿パッド）
２：  中央吸収体
３：  トップシート
４：  バックシート
５：  中央吸収性コア
１１：  第１サイド吸収体
１３：  第１サイド吸収性コア
２１：  第２サイド吸収体
２３：  第２サイド吸収性コア
【図１】
0005478388.tif 000002
【図２】
0005478388.tif 000003
【図３】
0005478388.tif 000004
【図４】
0005478388.tif 000005
【図５】
0005478388.tif 000006
【図６】
0005478388.tif 000007
【図７】
0005478388.tif 000008
【図８】
0005478388.tif 000009
【図９】
0005478388.tif 000010
【図１０】
0005478388.tif 000011
【図１１】
0005478388.tif 000012
【図１２】
0005478388.tif 000013
【図１３】
0005478388.tif 000014
【図１４】
0005478388.tif 000015